(57)【要約】【課題】廉価に製造でき、かつ、寝る人にとって床ずれ等が発生し難いこと。【解決手段】所定長の竹を長さ方向に半割状態とし、かつ、その湾曲側表面に複数穿設した通気孔１１を有する竹材要素１０と、竹炭２３を収納した竹炭袋体２０と、竹材要素１０の開口１５側に竹炭袋体２０を収容固定し、かつ、竹材要素１０の上面を湾曲面とし、複数併設した下面の開口１５側を受けて保持する枠体３０とを具備し、竹炭２３を収納した竹炭袋体２０は、竹材要素１０の開口１５側に収容固定されるから、廉価に構成できる。しかも、両端には竹の節１２が存在しているから、密閉状態が維持でき、竹材要素１０の湾曲側に複数穿設した通気孔１１のみが通気性を持つから、効率のよい使用方法となる。【選択図】      図１
2005007057.tif 000002
【特許請求の範囲】
【請求項１】
竹を長さ方向に半割状態とし、かつ、その湾曲側表面に複数穿設した通気孔を有する所定長の竹材要素と、
内部に竹炭を収納した竹炭袋体と、
前記竹材要素の開口側に前記竹炭袋体を収容固定し、かつ、前記竹材要素の上面を湾曲面とし、複数併設した下面の開口側を受けて保持する枠体と
を具備することを特徴とする竹材からなるベッド。
【請求項２】
前記竹炭袋体は、接着剤または両面テープにより前記竹材要素の開口側に固着したことを特徴とする請求項１に記載の竹材からなるベッド。
【請求項３】
前記竹材要素の通気孔は、両端に竹の節が存在する節の相互間に穿設されていることを特徴とする請求項１または請求項２に記載の竹材からなるベッド。
【請求項４】
前記竹炭袋体は、前記竹材要素の開口側を緻密なシートとし、前記竹材要素の湾曲面の内側を空気の流通を可能としたシートとしたことを特徴とする請求項１乃至請求項３の何れか１つに記載の竹材からなるベッド。
【発明の詳細な説明】
【０００１】
【発明の属する技術分野】
本発明は、竹材で形成したベッドに関するもので、特に、体圧分散性を良くし、室内のマイナスイオンを高め、いやし効果を期待できる竹材で形成したベッドに関するものである。人、ペット等に使用できるベッドである。
【０００２】
【従来の技術】
【特許文献１】登録実用新案第３０８６８４８号公報
従来の上記公報に掲載の竹炭収納庫付きベッドは、それぞれが桐材で形成されるベッド本体の座板と、該座板の裏側に竹炭を収納する竹炭収納庫を設け、該竹炭収納庫には桐材の底蓋がスライドして開閉可能に設けられ、当該竹炭収納庫には竹炭が通気性のある材料で包装されている竹炭袋が収納されており、前記座板及び底蓋には複数個の通気孔が形成されているから、座板と竹炭収納庫とがそれぞれが桐材で形成されていることにより吸湿性に富み、また、竹炭は通気性のある材料で包装されていることにより必要に応じて適当な数だけ収納でき、その交換も容易であるうえに、作業時に竹炭により周囲、作業者などが汚されることがない。そして、前記座板及び底蓋には複数個の通気孔が形成されていることにより、換気がよく、竹炭収納庫の湿度の上昇を防止できるとともに竹炭効果を発揮することができる。
【０００３】
更に、竹炭収納庫付きベッドによれば、座板は複数枚で構成されていて、当該座板には竹炭収納庫がそれぞれ設けられており、かつ、竹炭収納庫は座板に複数個設けられているから、使用形態に応じて適宜、竹炭の量を選択できる。
【０００４】
【発明が解決しようとする課題】
ところが、上記公報に掲載の竹炭収納庫付きベッドは、桐材で形成された座板が複数枚で構成されていて、当該座板には竹炭収納庫がそれぞれ設けられているから、ベッドが高価とならざるを得なかった。
【０００５】
また、上記公報に掲載の竹炭収納庫付きベッドは、桐材で形成された座板が複数枚で構成され、かつ、平坦になっているから、体圧分散性が人体の突部に集中し、病人等にとっては床擦れが発生し、それを解消することができなかった。
【０００６】
そこで、この発明は、かかる不具合を解決するためになされたもので、廉価に製造でき、かつ、床ずれ等が発生し難い竹材からなるベッドの提供を課題とするものである。
【０００７】
【課題を解決するための手段】
請求項１にかかる竹材からなるベッドは、竹を長さ方向に半割状態とし、かつ、その湾曲側表面に複数穿設した通気孔を有する所定長の竹材要素と、内部に竹炭を収納した竹炭袋体と、前記竹材要素の開口側に前記竹炭袋体を収容固定し、かつ、前記竹材要素の上面を湾曲面とし、複数併設した下面の開口側を受けて保持する枠体とを具備するものである。
【０００８】
したがって、竹炭を収納した竹炭袋体は、前記竹材要素の開口側に収容固定されるものであるから、廉価に収容できる。しかも、両端には竹の節が存在しているから、密閉状態が維持でき、竹材要素の湾曲側に複数穿設した通気孔のみが通気性を持つものであるから、効率のよい使用方法となる。そして、上面が竹材要素の湾曲面となっているから、布団を敷いたとき、布団とベッドとの間に空間が形成され、そこが空気路となり、かつ、湾曲面にも人体の荷重が加わることになるから、荷重が加わる位置が人体の形状のみに制限されることなく分散され、体圧分散性がよくなり、病人等にとっては床擦れが発生し難くなる。
【０００９】
ここで、所定長の竹を長さ方向に半割状態とした竹材要素としては、孟宗竹に限らず所定の径を有するものであれば、まだけ等であってもよい。縦方向に断面半円状に割ったものであり、縦長方向の長さまたは横方向の長さとしてもよい。好ましくは、横方向に配設するように横方向の長さとするのが望ましい。
【００１０】
前記竹材要素は、その湾曲側表面に複数通気孔を穿設している。複数穿設した通気孔は、通常、５〜１０ｍｍ程度の径の貫通孔であり、節の間隔によって相違するが、節相互間に５〜２０個程度穿設している。特に、節の相互間に５〜２０個程度穿設し、その内側に竹炭袋体の収容空間とすることにより、自然の収容空間として、通気孔のみを呼吸孔とすることができ、除湿、プラスイオンの吸着によるマイナスイオンの増加に貢献することができる。
【００１１】
前記竹材要素の下面の開口側を受けて保持する枠体は、前記竹材要素の下面を受けて保持するものであればよく、形態は前記竹材要素に対する直角方向の並行する２本、或いは四角の枠体、或いは四角の枠体の中央にクロスを入れたもの等とすることができる。また、必要に応じて、そこに足を設けることもできる。なお、この枠体は、竹材で形成してもよいし、木材または金属、合成樹脂で形成してもよい。
【００１２】
ここで竹炭を収納した竹炭袋体は、竹炭は孟宗竹、等を炭にしたもので、竹炭が布団のにおい、ペットの臭い、汚れた空気、ガスの成分を吸着分解し、消臭機能を持つ。また、竹炭の湿度の呼吸により、冬暖かく、夏涼しくすることができる。更に、竹炭は遠赤外線を発生するから、竹炭の遠赤外線効果で体が温まり、血行及び新陳代謝が活発になる。そして、竹炭はプラスイオンを吸着し、雰囲気をマイナスイオン化するから、殺菌性が高く、また、湿度を高めることがないから防カビ効果がある。
【００１３】
請求項２の竹材からなるベッドの前記竹炭袋体は、接着剤または両面テープにより前記竹材要素の開口側に固着したものである。
【００１４】
したがって、竹炭袋体は、前記竹材要素の開口側に接着剤または両面テープで固着され、安定した取付状態が維持できる。このとき使用する接着剤または両面テープは、竹炭袋体が前記竹材要素の開口側に固着できる条件であればよい。
【００１５】
請求項３の竹材からなるベッドの前記竹材要素の通気孔は、両端に竹の節が存在する節の相互間に穿設されているものである。
【００１６】
したがって、前記竹材要素の開口側を閉じることにより、通気孔のみを呼吸孔として使用することができ、効率よく、消臭機能、湿度コントロール、マイナスイオン化を促進することができる。
【００１７】
請求項４の竹材からなるベッドの前記竹炭袋体は、前記竹材要素の開口側を緻密なシートとし、前記竹材要素の湾曲面の内側を空気の流通を可能としたシートとしたものである。
【００１８】
したがって、前記竹材要素の開口側を緻密なシートとしているから、前記竹炭袋体から竹炭の粉末を落下させて、床や畳を汚すことがない。また、前記竹材要素の湾曲面の内側を空気の流通を可能としたシートとしたものであるから、呼吸作用に支障をきたさない。また、逆に転倒させた場合でも、空気の流通を可能としたシートを通り抜ける竹炭の粉末が存在したとしても、竹材要素の通気孔を通過するものは僅かであり、通常は、竹炭の粉末は落下し得ない。
【００１９】
【発明の実施の形態】
以下、本発明を具体的な実施の形態に基づいて説明する。
【００２０】
図１は本発明の実施の形態にかかる竹材からなるベッドの全体斜視図であり、図２は本発明の実施の形態にかかる竹材からなるベッドの竹材要素の上方から見た一部拡大図である。図３は本発明の実施の形態にかかる竹材からなるベッドの竹材要素に竹炭袋体を取付けた状態を示す一部拡大図、また、図４は本発明の実施の形態にかかる竹材からなるベッドの竹材要素に竹炭袋体を取付けた状態の断面図である。
【００２１】
図に示すように、本実施の形態の竹材からなるベッド１は、竹を長さ方向に半割状態として、節１２の断面を半円とした所定の長さの竹材要素１０には、その竹の表面となっている湾曲側表面に複数の通気孔１１が穿設されている。所定長の竹を長さ方向に半割状態とした竹材要素１０としては、孟宗竹（もうそうちく）に限らず、所定の径を有する竹であれば、まだけ、はちくであってもよい。竹材要素１０は、縦方向に断面半円状に割ったものであり、その全長は縦長方向の長さまたは横方向の長さとしてもよい。好ましくは、ベッドの横方向に配設するように横方向の長さとするのが望ましい。即ち、短いものを複数規格化するほうが、取付工数は増加するものの、廉価になる。
【００２２】
竹材要素１０の湾曲側表面に穿設した通気孔１１は、通常、５〜１０ｍｍ程度の径の貫通孔であり、節１２の間隔によって相違するが、節１２の相互間に５〜２０個程度穿設したものである。特に、節１２の相互間に５〜２０個程度穿設し、その内側に竹炭袋体２０の収容空間とするものである。このように、竹炭袋体２０の収容空間とすることにより、自然の収容空間として、通気孔１１のみを呼吸孔とすることができ、除湿、プラスイオンの吸着によるマイナスイオンの増加に貢献することができる。
【００２３】
この竹炭２３を収納した竹炭袋体２０において、竹炭２３は孟宗竹等を炭にしたもので、竹炭２３が布団のにおい、ペットの臭い、汚れた空気、ガスの成分を吸着分解し、消臭機能を持つ。また、竹炭２３の湿度の呼吸により、冬暖かく、夏涼しくすることができる。更に、竹炭２３は遠赤外線を発生するから、竹炭２３の遠赤外線効果で体を温め、血行及び新陳代謝を活発にすることができる。そして、竹炭２３はプラスイオンを吸着し、雰囲気をマイナスイオン化するから、殺菌性が高く、また、湿度を高めることがないから防カビ効果等がある。
【００２４】
この竹炭袋体２０は、竹材要素１０の開口１５側を合成樹脂等の緻密なシート２１とし、竹材要素１０の湾曲面の内側を空気の流通を可能とした和紙からなるシート２２としている。和紙等からなるシート２２は、緻密なシート２１の上面に端部が接合され、シート２２と緻密なシート２１によって閉じられた袋状の竹炭２３の収容空間を形成している。なお、本実施の形態では、湾曲面の内側を空気の流通を可能としたシート２２は、和紙としたが、本発明を実施する場合には、不織布とすることもできる。
【００２５】
また、和紙等からなるシート２２は竹材要素１０の開口１５側に貼り付けることができる。このときには、緻密なシート２１によって、竹材要素１０の開口１５側を封止する必要がある。
【００２６】
また、緻密なシート２１の４辺には接着剤が塗布されており、竹材要素１０の開口１５に竹炭袋体２０を収容し、竹材要素１０の開口１５側に緻密なシート２１を接着することができる。竹材要素１０の開口１５に緻密なシート２１の全周を接合することにより、竹材要素１０の開口１５側に緻密なシート２１で封止することができ、収容空間に対して通気孔１１のみを呼吸孔とすることができる。
【００２７】
したがって、竹材要素１０の開口１５側を緻密なシート２１としているから、竹炭袋体２０から竹炭２３の粉末を落下させて、床や畳を汚すことがない。また、竹材要素１０の湾曲面の内側を空気の流通を可能としたシート２２としたものであるから、呼吸作用に支障をきたすことがない。また、通気孔１１を下側になるように、逆に転倒させた場合でも、空気の流通を可能としたシート２２を通り抜ける竹炭２３の粉末が存在したとしても、竹材要素１０の通気孔１１を通過するものは僅かとなり、通常状態では、竹炭２３の粉末は落下し得ない。
【００２８】
なお、竹炭２３としては、粉体としたもの、或いは所定長のピースとしたもの等を使用することができる。特に、本発明を実施する場合の竹炭２３は、１０〜３０ｃｍの長さのピースとしたものを使用しており、全体の空気の流通を容易にしている。
【００２９】
竹材要素１０の下面の開口１５側を受けて保持する枠体３０は、竹材要素１０の下面を受けて保持するものである。その形態は竹材要素１０に対する直角方向の並行する２本の長尺材３２と２本の短尺材３１により、四角を形成している。また、必要に応じて、四角の枠体３０の中央にクロスを入れたものとすることができる。また、必要に応じて、そこに足３３を設けることもできる。なお、４本の足３３の間には、足３３の相互間の動きを制限するよう補間する長尺補間材３４と短尺補間材３５を接続し、４本の足３３の立設を安定させている。
【００３０】
この枠体３０は、竹で形成してもよいし、木材または金属、合成樹脂で形成してもよい。通常、デザイン的には竹材料のみで形成するのが望ましい。
【００３１】
本実施の形態の竹材からなるベッド１は、接着剤及び番線、ボルトナット、差込によって組み立てている。
【００３２】
本発明の実施例の枠体３０は足３３を有しているが、本発明を実施する場合には、図５に示す実施の形態のように、足３３を設けることなく使用することもできる。
【００３３】
図５は本発明の他の実施の形態にかかる竹材からなるベッドの全体斜視図である。
【００３４】
なお、本実施の形態において、図１乃至図４に示す実施の形態との相違点は、この実施の形態の竹材からなるベッド１は、足３３を設けていない点にある。その他の構成は、上記実施の形態と同じであるから、その説明を省略する。
【００３５】
そのため、４本の足３３の相互間の動きを制限するよう補間する長尺補間材３４と短尺補間材３５も有していない。本実施の形態では、枠体３０を直接畳の上に載置する場合に、荷重が４本の足３３のみに加わらず、その荷重が分散されるので畳を傷める可能性が少なくなる。
【００３６】
このように、本実施の形態の竹材からなるベッド１は、所定長の竹を長さ方向に半割状態とし、かつ、その湾曲側表面に複数穿設した通気孔１１を有する竹材要素１０と、竹炭２３を収納した竹炭袋体２０と、竹材要素１０の開口１５側に竹炭袋体２０を収容固定し、かつ、竹材要素１０の上面を湾曲面とし、複数併設した下面の開口１５側を受けて保持する枠体３０とを具備するものである。
【００３７】
したがって、竹炭２３を収納した竹炭袋体２０は、竹材要素１０の開口１５側に収容固定されるから、廉価に収容できる。しかも、両端には竹の節１２が存在しているから、密閉状態が維持でき、竹材要素１０の湾曲側に複数穿設した通気孔１１のみが通気性を持つから、効率のよい使用方法となる。そして、上面が竹材要素１０の湾曲面となっているから、その上に布団を敷いたとき、布団とベッドとの間に空間が形成され、そこが空気路となり、かつ、湾曲面に人体の荷重が加わることになるから、荷重が加わる位置が人体のみに制限されることなく分散され、体圧分散性がよくなり、病人等にとっては床擦れが発生し難くなる。
【００３８】
ここで、所定長の竹を長さ方向に半割状態とした竹材要素１０としては、孟宗竹に限らず所定の径を有するものであれば、まだけ、はちくであってもよい。縦方向に断面半円状に割ったものであり、縦長方向の長さまたは横方向の長さとしてもよい。好ましくは、横方向に配設するように横方向の長さとするのが望ましい。
【００３９】
竹材要素１０は、その湾曲側表面に複数通気孔１１を穿設している。複数穿設した通気孔１１は、通常、５〜１０ｍｍ程度の径の貫通孔であり、節１２の間隔によって相違するが、節１２の相互間に５〜２０個程度穿設している。特に、節１２の相互間に５〜２０個程度穿設し、その内側に竹炭袋体２０の収容空間とすることにより、自然の収容空間として、通気孔１１のみを呼吸孔とすることができ、除湿、プラスイオンの吸着によるマイナスイオンの増加に貢献することができる。
【００４０】
竹材要素１０の下面の開口１５側を受けて保持する枠体３０は、竹材要素１０の下面を受けて保持するものであればよく、形態は竹材要素１０に対する直角方向の並行する２本とすることができる。或いは四角の枠体３０、或いは四角の枠体３０の中央にクロスを入れたものとすることができる。また、必要に応じて、そこに足３３を設けることもできる。なお、この枠体３０は、竹材で形成してもよいし、木材または金属、合成樹脂で形成してもよい。
【００４１】
ここで竹炭２３を収納した竹炭袋体２０は、竹炭２３は孟宗竹等を炭にしたもので、竹炭２３が布団のにおい、ペットの臭い、汚れた空気、ガスの成分を吸着分解し、消臭機能を持つ。また、竹炭２３の湿度の呼吸により、冬暖かく、夏涼しくすることができる。更に、竹炭２３は遠赤外線を発生するから、竹炭２３の遠赤外線効果で体が温まり、血行及び新陳代謝が活発になる。そして、竹炭２３はプラスイオンを吸着し、雰囲気をマイナスイオン化するから、殺菌性が高く、また、湿度を高めることがないから防カビ効果がある。
【００４２】
本実施の形態の竹材からなるベッド１の竹炭袋体２０は、接着剤または両面テープにより竹材要素１０の開口１５側に固着したものである。
【００４３】
したがって、竹炭袋体２０は、竹材要素１０の開口１５側に接着剤または両面テープで固着され、安定した取付状態が維持できる。このとき使用する接着剤または両面テープは、竹炭袋体２０が竹材要素１０の開口１５側に固着できる条件であればよい。
【００４４】
本実施の形態の竹材からなるベッド１の竹材要素１０の通気孔１１は、両端に竹の節１２が存在する節１２の相互間に穿設されているものである。
【００４５】
したがって、竹材要素１０の開口１５側を閉じることにより、通気孔１１のみを呼吸孔として使用することができ、効率よく、消臭機能、湿度コントロール、マイナスイオン化を促進することができる。
【００４６】
本実施の形態の竹材からなるベッド１の竹炭袋体２０は、竹材要素１０の開口１５側を緻密なシート２１とし、竹材要素１０の湾曲面の内側を空気の流通を可能としたシート２２としたものである。
【００４７】
したがって、竹材要素１０の開口１５側を緻密なシート２１としているから、竹炭袋体２０から竹炭２３の粉末を落下させて、床や畳を汚すことがない。また、竹材要素１０の湾曲面の内側を空気の流通を可能としたシート２２としたものであるから、呼吸作用に支障をきたさない。また、逆に転倒させた場合でも、空気の流通を可能としたシート２２を通り抜ける竹炭２３の粉末が存在したとしても、竹材要素１０の通気孔１１を通過するものは僅かであり、通常は、竹炭２３の粉末は落下し得ない。
【００４８】
ところで、上記実施の形態の竹材からなるベッド１は、枠体３０に足３３を設けたもの、枠体３０に足３３を設けていないものについて説明したが、本発明を実施する場合には、枠体３０に足３３の有無は、本発明の本旨に直接関係のないことである。
【００４９】
また、本実施の形態では、枠体３０と竹材要素１０はバインド線によって、接続したものであるが、本発明を実施する場合の取付けは、竹の性質上裂け易いことに対抗できる構造であればよい。
【００５０】
【発明の効果】
以上説明したように、請求項１にかかる竹材からなるベッドは、竹を長さ方向に半割状態とし、かつ、その湾曲側表面に複数穿設した通気孔を有する所定長の竹材要素と、竹炭を収納した竹炭袋体と、前記竹材要素の開口側に前記竹炭袋体を収容固定し、かつ、前記竹材要素の上面を湾曲面とし、複数併設した下面の開口側を受けて保持する枠体とを具備するものである。
【００５１】
したがって、竹炭を収納した竹炭袋体は、前記竹材要素の開口側に収容固定されるものであるから、廉価に収容でき、しかも、両端には竹の節が存在しているから、密閉状態が維持でき、竹材要素の湾曲側に複数穿設した通気孔のみが通気性を持つものであるから、効率のよい使用方法となる。そして、上面が竹材要素の湾曲面となっているから、布団を敷いたとき、布団とベッドとの完に空間が形成され、そこが空気路となり、かつ、湾曲面に人体の荷重が加わることになるから、荷重が加わる位置が人体のみに制限されることなく分散され、体圧分散性がよくなり、病人等にとっては床擦れが発生し難くなる。
【００５２】
請求項２の竹材からなるベッドの前記竹炭袋体は、接着剤または両面テープにより前記竹材要素の開口側に固着したものであるから、請求項１に記載の効果に加えて、竹炭袋体は前記竹材要素の開口側に接着剤または両面テープで固着され、安定した取付状態が維持できる。
【００５３】
請求項３の竹材からなるベッドの前記竹材要素の通気孔は、両端に竹の節が存在する節の相互間に穿設されているものであるから請求項１または請求項２に記載の効果に加えて、前記竹材要素の開口側を閉じることにより、通気孔のみを呼吸孔として使用することができ、効率よく、消臭機能、湿度コントロール、マイナスイオン化を促進することができる。
【００５４】
請求項４の竹材からなるベッドの前記竹炭袋体は、前記竹材要素の開口側を緻密なシートとし、前記竹材要素の湾曲面の内側を空気の流通を可能としたシートとしたものであるから、正規有効１乃至請求項３に記載の効果に加えて、前記竹材要素の開口側を緻密なシートとしているから、前記竹炭袋体から竹炭の粉末を落下させて、床や畳を汚すことがない。また、前記竹材要素の湾曲面の内側を空気の流通を可能としたシートとしたものであるから、呼吸作用に支障をきたさない。また、逆に転倒させた場合でも、空気の流通を可能としたシートを通り抜ける竹炭の粉末が存在したとしても、竹材要素の通気孔を通過するものは僅かであり、通常は、竹炭の粉末は落下し得ない。
【図面の簡単な説明】
【図１】図１は本発明の実施の形態にかかる竹材からなるベッドの全体斜視図である。
【図２】図２は本発明の実施の形態にかかる竹材からなるベッドの竹材要素の上方から見た一部拡大図である。
【図３】図３は本発明の実施の形態にかかる竹材からなるベッドの竹材要素に竹炭袋体を取付けた状態を示す一部拡大図である。
【図４】図４は本発明の実施の形態にかかる竹材からなるベッドの竹材要素に竹炭袋体を取付けた状態の断面図である。
【図５】図５は本発明の他の実施の形態にかかる竹材からなるベッドの全体斜視図である。
【符号の説明】
１      竹材からなるベッド
１０      竹材要素
１１      通気孔
１２      節
１５      開口
２０      竹炭袋体
２３      竹炭
３０      枠体
【図１】
2005007057.tif 000003
【図２】
2005007057.tif 000004
【図３】
2005007057.tif 000005
【図４】
2005007057.tif 000006
【図５】
2005007057.tif 000007